(57)【要約】【課題】本体に対して、外部接続機器がもっている凸部に嵌合するための凹部、もしくは外部接続機器がもっている凸部に嵌合するための凹部を持った別部品を取り付けるための取付形状を、あらかじめ配置しなければならない。そのため、電子機器の大型化や部品点数の増加につながる。【解決手段】電子機器の本体部は、外部接続機器が接続されるジャックと蓋部を備え、前記外部接続機器は、前記ジャックと接続可能なプラグと嵌合部を備え、前記蓋部は、前記外部接続機器の前記嵌合部と嵌合する嵌合部を有し、前記蓋部は、前記ジャックを覆うことができる第一の位置と、前記ジャックに対して前記プラグが挿入可能となる第二の位置に移動可能であり、前記第二の位置において前記外部接続機器の前記プラグとと前記本体部の前記ジャックが接続された際に、前記蓋部の前記嵌合部は、前記外部接続機器の前記嵌合部と嵌合することを特徴とする。【選択図】図４
2017139103.tif 000002
【特許請求の範囲】
【請求項１】
電子機器の本体部は、外部接続機器が接続されるジャックと蓋部を備え、
前記外部接続機器は、前記ジャックと接続可能なプラグと嵌合部を備え、
前記蓋部は、前記外部接続機器の前記嵌合部と嵌合する嵌合部を有し、
前記蓋部は、前記ジャックを覆うことができる第一の位置と、前記ジャックに対して前記プラグが挿入可能となる第二の位置に移動可能であり、
前記第二の位置において前記外部接続機器の前記プラグとと前記本体部の前記ジャックが接続された際に、前記蓋部の前記嵌合部は、前記外部接続機器の前記嵌合部と嵌合することを特徴とする電子機器。
【請求項２】
前記本体部は、前記蓋部の嵌合部と嵌合する勘合部を有し、前記第一の位置において、前記本体部の前記勘合部は前記蓋部の前記嵌合部と嵌合することを特徴とする請求項１に記載の電子機器。
【請求項３】
前記本体部の前記嵌合部は、凹形状であり、前記凹形状の内部に、前記本体部の外装カバーを締結するためのビスが配置されていることを特徴とする請求項１又は請求項２に記載の電子機器。
【発明の詳細な説明】
【技術分野】
【０００１】
本発明は、電子機器の大型化を避けつつ、外部接続機器と接続するために本体に取り付けられたジャックにかかる外力から保護する構造に関する。
【背景技術】
【０００２】
従来の電子機器は、外部接続機器と接続するためのさまざまなジャックが備えられており、ジャックに外部接続機器やケーブルブッシュが備えているプラグを接続する。ジャックやプラグは、それぞれの嵌合のみで接続されている場合、プラグが簡単に抜けてしまうことや、プラグが外力を受けた場合に破壊されてしまうことがある。
【０００３】
そのため、外部接続機器やケーブルブッシュはプラグ以外にも凸部を持ち、電子機器は外部接続機器の凸部に対応した凹部を持つことで、嵌合させることができる構造を持っているものがある。そうすることで、挿入方向に略直交する方向からの力を外部接続機器やケーブルブッシュの凸部と電子機器の凹部の嵌合部にて受けることができ、ジャックやプラグの破壊を防ぐことができる。
【０００４】
電子機器に配置されていた凹部は、電子機器そのものに配置せずに、外部接続機器やケーブルブッシュの凸部に対応する凹部を持った別部品を電子機器に取り付けている場合もある。また突起形状が雄ネジであり、凹部が雌ネジ部である場合、締め付けることでより強固に取付が可能となるうえ、ジャックやプラグの挿入方向も受けることができる。
【０００５】
また雄ネジを締め付けずに簡易的に固定するため、電子機器が雌ネジ部ではなく雄ネジを挟みこむ形状をもっており、プラグの挿入に連動してジャックの蓋が挟みこむ形状をさらに抑えこむことによって抜け防止をしているものもある（特許文献１参照）。
【先行技術文献】
【特許文献】
【０００６】
【特許文献１】特開２００７−２００８００号公報
【発明の概要】
【発明が解決しようとする課題】
【０００７】
しかしながら、上記従来例では、本体に対して、外部接続機器がもっている凸部に嵌合するための本体側の凹部、もしくは外部接続機器がもっている凸部に嵌合するための凹部を持った別部品を取り付けるための取付形状を、あらかじめ本体に配置しなければならない。そのため、電子機器の大型化や部品点数の増加につながるという問題点があった。
【課題を解決するための手段】
【０００８】
上記の課題を解決するために、本発明に係る電子機器は、
電子機器の本体部は、外部接続機器が接続されるジャックと蓋部を備え、前記外部接続機器は、前記ジャックと接続可能なプラグと嵌合部を備え、前記蓋部は、前記外部接続機器の前記嵌合部と嵌合する嵌合部を有し、前記蓋部は、前記ジャックを覆うことができる第一の位置と、前記ジャックに対して前記プラグが挿入可能となる第二の位置に移動可能であり、前記第二の位置において前記外部接続機器の前記プラグとと前記本体部の前記ジャックが接続された際に、前記蓋部の前記嵌合部は、前記外部接続機器の前記嵌合部と嵌合することを特徴とする。
【発明の効果】
【０００９】
本発明に係る電子機器によれば、外部接続機器に設けられた凸部に対する嵌合部を蓋部内壁のリブ部で形成することで、蓋部の閉状態時に隠れており、開状態時つまり外部接続機器の使用時のみリブ部が露出させることができる。そのため、あらかじめ本体側にスペースを確保しておく必要がないため小型化することができる。
【図面の簡単な説明】
【００１０】
【図１】第一の実施形態の外観斜視図
【図２】無線機１１７の外観斜視図
【図３】無線機蓋部１１６の開状態を示した外観斜視図
【図４】無線機１１７の接続状態を示した外観斜視図
【発明を実施するための形態】
【００１１】
以下、本発明を実施するための形態を図面に基づいて説明する。  
【００１２】
＜第１の実施形態＞
本発明の第一の実施形態として、撮像装置の中でもレンズ交換式デジタルビデオカメラを用いて詳細な説明を行う。
【００１３】
本発明の第一の実施形態の外観斜視図を図１に示す。（ａ）は撮像装置正面側斜視図であり、正面、上面、および正面方向から見て右側面を示している。（ｂ）は撮像装置背面側斜視図であり、背面、上面、および正面方向から見た左側面を示している。
【００１４】
レンズ交換式デジタルビデオカメラ１００は正面にレンズマウント１０１およびレンズリリース釦１０２が配置されており、レンズリリース釦１０２を押すことによりレンズマウント１０１に取り付けられる各種レンズの着脱が可能である。各種レンズと交換が可能であることにより、焦点距離など撮像光学系の変更ができ、撮影画像のバリエーションが増える。
【００１５】
レンズ交換式デジタルビデオカメラ１００は、上面にアクセサリ取り付け部１０８および電子ビューファインダ（以下ＥＶＦ）１０９が配置されている。アクセサリ取り付け部１０８は、外付けモニターユニットやハンドル（不図示）など拡張アクセサリを装着することができる。ＥＶＦ１０９は撮影している画角の確認ができたり、記録された映像の再生画を見ることができる。
【００１６】
レンズ交換式デジタルビデオカメラ１００は、右側面に、電源スイッチ１１０とカスタム釦１１１が配置されている。電源スイッチ１１０は、回動操作することにより、レンズ交換式デジタルビデオカメラ１００の電源のオン・オフを切り替えることができる。電源のオン状態は、録画モードと再生モードがあり、オフ状態と合わせ、合計３ポジション取ることができる。カスタム釦１１１はそれぞれに機能割り振りが可能となっている。割り振り可能な機能の例として、撮影のスタート／ストップ、ピーキング、撮影画角の部分拡大、フォーカス合わせ、ＥＶＦ１０９の液晶パネルの表示／非表示、ステータス表示部１１２のバックライトの点灯／消灯、無線通信のＯＮ／ＯＦＦなどがある。
【００１７】
レンズ交換式デジタルビデオカメラ１００は、左側面にグリップユニット１０３が取り付け可能となっており、本体把持部として利用でき、ハイアングルの撮影時や通常撮影時など様々な状態の撮影時に対して把持しやすい方法を選択できる。グリップユニット１０３には、録画釦１０４、アイリスダイヤル１０５、十字キー１０６、グリップベルト１０７が配置されている。録画釦１０４は、押し込み操作することで録画の開始／終了することができる。アイリスダイヤル１０５は、回転操作することにより、レンズマウント１０１に取り付けられたレンズの絞り量を変化させることができる。十字キー１０６は、上下左右操作と押し込み操作が可能になっており、メニューの操作、選択をすることが可能になる。グリップベルト１０７は、手の甲に対して巻きつけることで本体を把持する補助ができるようになる。
【００１８】
レンズ交換式デジタルビデオカメラ１００は、背面にステータス表示部１１２、記録媒体蓋部１１３、電池蓋部１１４、ジャック蓋部１１５、無線機蓋部１１６が配置されている。ステータス表示部１１２は、撮像光学系の設定値や取得音声のレベルメータなど、撮影時の映像に関連するステータスを表示している。記録媒体蓋部１１３は開閉可能となっており、開状態において記録媒体（例えばＳＤカードなど）の挿抜が可能となり、閉状態において記録媒体へのアクセスを可能にし、撮影した映像データを記録することができる。電池蓋部１１４は開閉可能となっており、開状態において電池の挿抜が可能となり、閉状態において電池を外力から守ることができる。
【００１９】
ジャック蓋部１１５は内部にＨＤＭＩ（登録商標）、３Ｇ−ＳＤＩ、電源ジャック、ヘッドフォンジャック、外付けモニターユニットの接続コネクタなど、各種電気的通信を行う接続するジャック類が配置されている（不図示）。無線機蓋部１１６は、図１において閉状態を示しているが、開状態の時に、無線機１１７（後述）が接続される。無線機１１７は、本体と接続された無線端末（例えば、携帯電話など）に映像信号を送信したり、無線端末からの本体操作に対する入力情報を受信したりすることができる。
【００２０】
本発明の第１の実施形態に関わるレンズ交換式デジタルビデオカメラ１００における無線機１１７の接続構造に関して図２〜図４を用いて説明する。
【００２１】
図２は無線機１１７の外観斜視図を示している。
【００２２】
無線機１１７は、凸部１１８、プラグ１１９、操作部１２０、雄ネジ部１２１から成る。凸部１１８はプラグ１１９の挿入方向と略平行な方向に突出している。プラグ１１９は対応するジャックと嵌合することで電気的な接続をする。その時に無線通信可能となる。操作部１２０と雄ネジ部１２１はプラグ１１９の周囲を回動するように形成されており、一体となって動作する。
【００２３】
図３は図１（ｂ）におけるＡ部の拡大図で、無線機蓋部１１６の開状態を示した外観斜視図である。
【００２４】
無線機蓋部１１６は、回転軸１２２を中心に回動して開くように形成されている。回転軸１２２は、例えばＳＵＳなど剛性の高い材料で形成されていることにより、無線機蓋部１１６に外力を受けた際も強固に保持することができる。
【００２５】
無線機蓋部１１６の内面にリブ部１２３が形成されており、略Ｕ字形状をしている。レンズ交換式デジタルビデオカメラ１００に対して凹部１２４とジャック１２５が無線機蓋部１１６の閉状態時に隠れる範囲に配置されている。凹部１２４は無線機蓋部１１６が閉状態時にリブ部１２３の外壁と嵌合し、回転軸１２２のスラスト方向へのガタを抑える。また凹部１２４は外装カバーを固定をするビス締結を配置してもよい。ジャック１２５は略円筒形の穴形状の底面側に配置されており、穴形状の内壁には雌ネジ部１２６が配置されている。
【００２６】
図４は図１（ｂ）におけるＡ部の拡大図で、無線機１１７の接続状態を示した外観斜視図である。
【００２７】
無線機１１７は、プラグ１１９をジャック１２５に挿入し、操作部１２０を回動することにより、雄ネジ部１２１と雌ネジ部１２６を締結させ挿入方向に対して固定する。その際に、無線機蓋部１１６のリブ部１２３の内壁と凸部１１８も同時に嵌合する。そうすることにより、プラグ１１９とジャック１２５の挿入位置を中心とした回転方向の荷重が付加された際に、回転止めの役割を果たし、プラグ１１９やジャック１２５の破壊を防ぐことができる。
【００２８】
また凸部１１８に対する嵌合部を無線機蓋部１１６のリブ部１２３で形成することで、無線機蓋部１１６の閉状態時には隠れており、開状態時つまり無線機１１７の使用時のみ嵌合部が露出させることができる。そのため、あらかじめ本体側にスペースを確保しておく必要がないため小型化することができる。
【００２９】
また上記実施例ではリブ部１２３をＵ字形状としたが、その限りではなく、無線機１１７の凸部１１８と嵌合できる内壁を持っていれば良いため、円形リブや、２本のリブの内壁同士を利用して実施してもよい。
【００３０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３１】
１０１  レンズマウント、１０２  レンズリリース釦、１０３  グリップユニット、
１０４  録画釦、１０５  アイリスダイヤル、１０６  十字キー、
１０７  グリップベルト、１０８  アクセサリ取り付け部、１０９  ＥＶＦ、
１１０  電源スイッチ、１１１  カスタム釦、１１２  ステータス表示部、
１１３  記録媒体蓋部、１１４  電池蓋部、１１５  ジャック蓋部、
１１６  無線機蓋部、１１７  無線機、１１８  凸部、１１９  プラグ、
１２０  操作部、１２１  雄ネジ部、１２２  回転軸、１２３  リブ部、１２４  凹部、
１２５  ジャック、１２６  雌ネジ部
【図１】
2017139103.tif 000003
【図２】
2017139103.tif 000004
【図３】
2017139103.tif 000005
【図４】
2017139103.tif 000006